(57)【要約】【課題】装置の堅牢性とポップアップ動作の安定性とを損なうことなく発光部がポップアップ時に前方に移動するストロボ装置を提供する。【解決手段】ストロボ装置１５は、発光部１４を収容し案内溝３２，３３を有する発光部ユニット１６と、案内溝３２，３３と係合する突条レール３６，３７が形成され発光部ユニット１６を直進移動自在に支持するとともに後端側の第１軸２２を中心に回転するスイングアーム３８，３９と、前端側が第１軸２２より前方に位置する第２軸４４，４５によって支持台４７に回転自在に軸支され、後端側に形成された回転軸が左右の側壁３４，３５の後端内側に設けられた軸穴に回転自在に支持され、スイングアーム３８，３９とは反対回りに回転して発光部ユニット１６を上方且つ前方へ移動させ、発光部１４を収納位置から発光位置へと切り替える左右一対の駆動レバー２５，２６とを備える。【選択図】図４
2012133141.tif 000002
【特許請求の範囲】
【請求項１】
カメラ本体の上部に配置され、発光部が発光位置と収納位置との間で移動自在に保持されたストロボ装置であって、
前記発光部が収容され、前記発光部の収容スペースより後方に延設して形成された左右の側壁を有し、前記左右の側壁に一対の第１直進ガイドが形成された発光部ユニットと、
前記一対の第１直進ガイドとそれぞれ係合して前記発光部ユニットを直進移動自在に支持する一対の第２直進ガイドがそれぞれ形成されるとともに、後端側が前記カメラ本体上に固定される第１の軸位置で回動自在に支持され、先端側が上方且つ後方へ回動する左右一対のスイングアームと、
前端側が前記第１の軸位置より前方で前記カメラ本体上に固定される第２の軸位置で回転自在に支持されるとともに、後端側が前記第２の軸位置より後方に配置されるとともに前記発光部の左右の側壁の後端部に回転自在に支持され、前記スイングアームとは反対回りに回転して前記発光部を前記収納位置から前記発光位置へと移動させる左右一対の駆動レバーと、
を備えたことを特徴とするストロボ装置。
【請求項２】
前記第１直進ガイド及び第２直進ガイドは、一方が案内溝で、他方が突条レールであることを特徴とする請求項１記載のストロボ装置。
【請求項３】
前記駆動レバーは、前記発光部を前記収納位置から前記発光位置へ移動させる方向にバネ付勢されていることを特徴とする請求項１又は２記載のストロボ装置。
【請求項４】
前記一対のスイングアームはブリッジ部によって連結されたことを特徴とする請求項１〜３いずれか記載のストロボ装置。
【請求項５】
前記ブリッジ部は前記収納位置にあるときの前記発光部をカバーすることを特徴とする請求項４記載のストロボ装置。
【請求項６】
前記第１及び第２直進ガイドは、前記発光部が収納位置にあるときに、撮影光軸と略平行になるように形成されたことを特徴とする請求項１〜５いずれか記載のストロボ装置。
【発明の詳細な説明】
【技術分野】
【０００１】
本発明は、レンズ交換式カメラに内蔵され、収納位置と使用位置との間で移動する発光部を有するストロボ装置に関する。
【背景技術】
【０００２】
従来、デジタルカメラにはストロボ装置を内蔵したものが多く、中には、ストロボの不使用時には発光部を収納位置に収容し、ストロボの使用時には発光部を所定の発光位置までポップアップさせるように構成したものがある。下記特許文献１には、所定の軸を中心にストロボ装置を回動させて、その発光部を収納位置から使用位置へと移動させる構成が記載されている。この装置は、不使用時には付勢部材の付勢力に抗して発光部を収納位置に係止し、使用時には該係止を解除して付勢部材の付勢力によって発光部を発光位置とする。
【０００３】
近年、デジタルカメラにおいては、カメラ本体の小型化が進み、それに伴って内蔵ストロボのポップアップ機構も小型化される。その一方で高倍率ズームレンズを装着可能なレンズ交換式デジタルカメラも開発されている。小型化されたカメラ本体にレンズ長の長い高倍率ズームレンズを装着する場合、大口径レンズによる太径化に加え、カメラ本体の小型化によってレンズ鏡胴が相対的に太径化するので、従来のポップアップ式内蔵ストロボでは、ストロボ光の一部がレンズ鏡胴部に照射され、所謂、ストロボ光のケラレが発生するという問題が生じる。このため、レンズ交換式カメラに内蔵されるストロボ装置は、ストロボ光がレンズ鏡胴部でケラレないように、発光部をカメラ本体から十分に離す必要がある。
【先行技術文献】
【特許文献】
【０００４】
【特許文献１】特開２００５−３２１５６３号公報
【発明の概要】
【発明が解決しようとする課題】
【０００５】
前記特許文献１記載のストロボ装置のようにストロボ発光部が固定軸を中心に回動して上方に移動する構造は、動作の安定性は保証されるが、発光部が回動されるため、使用位置が収納位置より後方になってしまい、発光部をカメラ本体より上方にして鏡胴によるストロボ光のケラレを回避しようとする効果が減少してしまう。
【０００６】
本発明は、上記問題点を解決するためになされたものであり、ストロボ光の交換レンズ鏡胴によるケラレが生じないように、ストロボ発光部をポップアップさせたときの発光位置を従来よりも高く、かつ前方に設定するストロボ装置を、装置の堅牢性とポップアップ動作の安定性とを損なうことのない方法で提供することを目的とするものである。
【課題を解決するための手段】
【０００７】
本発明によるストロボ装置は、カメラ本体の上部に配置され、発光部が発光位置と収納位置との間で移動自在に保持されたストロボ装置であって、前記発光部が収容され、前記発光部の収容スペースより後方に延設して形成された左右の側壁を有し、前記左右の側壁に一対の第１直進ガイドが形成された発光部ユニットと、前記一対の第１直進ガイドとそれぞれ係合して前記発光部ユニットを直進移動自在に支持する一対の第２直進ガイドがそれぞれ形成されるとともに、後端側が前記カメラ本体上に固定される第１の軸位置で回動自在に支持され、先端側が上方且つ後方へ回動する左右一対のスイングアームと、前端側が前記第１の軸位置より前方で前記カメラ本体上に固定される第２の軸位置で回転自在に支持されるとともに、後端側が前記第２の軸位置より後方に配置されるとともに前記発光部の左右の側壁の後端部に回転自在に支持され、前記スイングアームとは反対回りに回転して前記発光部を前記収納位置から前記発光位置へと移動させる左右一対の駆動レバーと、を備えたことを特徴とする。
【０００８】
前記第１直進ガイド及び第２直進ガイドは、一方が案内溝で、他方が突条レールであることが望ましい。前記駆動レバーは、前記発光部を前記収納位置から前記発光位置へ移動させる方向にバネ付勢されるようにすると良い。前記一対のスイングアームはブリッジ部によって連結されるようにすると良い。前記ブリッジ部は前記収納位置にあるときの前記発光部をカバーするようにすると良い。前記第１及び第２直進ガイドは、前記発光部が収納位置にあるときに、撮影光軸と略平行になるように形成されるようにすると良い。
【発明の効果】
【０００９】
本発明によるストロボ装置は、発光部がポップアップに伴って前に繰り出されるのでストロボ光のケラレ防止効果が高く、また、発光部が固定軸を中心に回動するレール枠に摺動自在に取り付けられた構成であるため、安定したポップアップ動作が行われるとともに装置全体の堅牢性が高い。
【図面の簡単な説明】
【００１０】
【図１】大口径交換レンズを装着したレンズ交換式カメラのストロボをポップアップさせた状態での側面外観図である。
【図２】大口径交換レンズを取り外したレンズ交換式カメラのストロボをポップアップさせた状態での斜視外観図である。
【図３】ストロボが収納位置にあるときのレンズ交換式カメラを背面側より見た斜視外観図である。
【図４】発光部をポップアップさせたストロボ装置の斜視外観図である。
【図５】ストロボ装置の分解図である。
【図６】収納位置にあるストロボ装置を説明する図である。
【図７】発光位置にあるストロボ装置を説明する図である。
【図８】リード線の配線構造を説明する図である。
【図９】収納位置での係止の状態を説明する図である。
【図１０】ストロボ光の交換レンズによるケラレを説明する図である。
【発明を実施するための形態】
【００１１】
図１に示されるように、レンズ交換式カメラ１０は、大口径交換レンズ１１が装着される。また、ストロボ撮影用として、ストロボ光を被写体に向けて照射させる発光部１４を備えたストロボ装置１５を搭載する。ストロボ装置１５は、カメラ本体１３の上部に配置された発光部１４を収納位置とより上方の発光位置との間で移動自在に保持され、ストロボ撮影時には発光部１４をポップアップさせて、大口径交換レンズ１１によってストロボ光がケラレないように配慮されている。
【００１２】
図２及び図３に示されるように、レンズ交換式カメラ１０は、略直方体形状のカメラ本体１３の前側に大口径交換レンズ１１が装着されるレンズマウント１７が設けられる。カメラ本体１３の上部にはストロボ装置１５の他、ホットシュー２７及びレリーズボタン１８、モード選択ダイヤル１９が設けられ、上部背面側にストロボ装置１５をポップアップさせる操作部材６２が設けられている。図２では、ストロボ装置１５の構造を示すためホットシュー２７を省略している。
【００１３】
図４，５に示されるように、ストロボ装置１５は、発光部１４を収容するケース２８の左右の側壁３４，３５が、発光部１４の収容スペースより後方に延設して形成され、左右の側壁３４，３５の側面３０，３１に一対の案内溝（第１直進ガイド）３２，３３が形成された発光部ユニット１６と、一対の案内溝３２，３３とそれぞれ係合して発光部ユニット１６を直進移動自在に支持する一対の突条レール（第２直進ガイド）３６，３７がそれぞれ形成されるとともに、後端側がカメラ本体１３上に固定された支持板２３の第１の軸位置に配置された第１軸２２によって回動自在に支持され、先端側が上方且つ後方へ回動するように配置された左右一対のスイングアーム３８，３９を備える。
【００１４】
スイングカバー２０は、スイングアーム３８，３９と、一対の突条レール３６，３７が一定の幅で平行に配置されるように一対のスイングアーム３８，３９を連結するブリッジ部４０とからなり、前記収納位置のときに発光部１４をカバーする。ホットシュー２７は、発光部１４が前記収納位置にあるときには、発光部１４の後方に延設して形成された前記左右の側壁３４，３５の間に突出するように配置されている（図３，６参照）。
【００１５】
また、ストロボ装置１５は、左右一対の駆動レバー２５，２６と、支持台４７とを備える。支持台４７は支持板２３上に固定され、第１の軸位置より前方に配置される第２の軸位置に一対の支持孔４８，４９が形成される。駆動レバー２５，２６は、前端側がそれぞれ支持孔４８，４９に回転自在に支持され、後端側に設けられた回転軸４２，４３が、左右の側壁３４，３５の後端内側に設けられた軸穴５２，５３と回転自在に係合し、スイングアーム３８，３９の回転方向（図７参照、矢印６６）とは反対回り（図７参照、矢印６７）に回転して発光部ユニット１６を上方且つ前方へ移動させ、発光部１４を収納位置から発光位置に切り替える。
【００１６】
図７に示されるように、駆動レバー２５は、支持孔４８に回転自在に支持された第２軸４４より更に他端側にバネ掛け部５４が延設され、ポップアップバネ５５の一端側が係止される。ポップアップバネ５５の他端側は支持板２３に立設された第１バネ掛け軸５６に係止され、駆動レバー２５をポップアップ方向に付勢する。駆動レバー２５は、ポップアップバネ５５の付勢力によって矢印６７の方向に回転し、バネ掛け部５４が支持台４７に設けられたストッパ５７に当接して位置決めされる。
【００１７】
図８に示されるように、駆動レバー２６は、内部が空洞に形成され、支持孔４９に回転自在に支持される前端側の第２軸４５と、後端側の回転軸４３の中心に開口が形成される。発光部１４には発光電力や電気信号を供給するリード線６５が接続されるが、そのリード線６５は側壁３５の中を通って軸穴５３から引き出される。軸穴５３には駆動レバー２６の回転軸４３が嵌合しており、リード線６５は回転軸４３の中心の開口から駆動レバー２６内部の空洞を通って第２軸４５の中心の開口から支持台４７の中空部４６に引き出され、支持台４７の中空部４６からカメラ本体１３に内蔵された電気回路に接続される。
【００１８】
支持台４７の裏面には溝５１が形成され、支持板２３との間で係止部材５０を摺動自在に保持する。駆動レバー２５，２６は、発光部１４が収納位置にあるときに撮影光軸１２と略平行になるように配置される（図６参照）。
【００１９】
係止部材５０は、一端側に発光部１４のケース２８に形成された係止部５８と係合する係止爪５９が形成され、係止爪５９が係止部５８と係合して発光部１４をポップアップバネ５５の付勢力に抗して前記収納位置に係止する。係止部材５０の他端側には係止爪５９が係止部５８と係合する方向に係止部材５０を付勢する係止バネ６０の一端側が係止され、係止バネ６０の付勢力に抗して前記係合が解除される方向に係止部材５０を押圧する操作部材６２が設けられる。係止バネ６０の他端側は支持板２３に立設された第２バネ掛け軸６４に係止される（図９参照）。
【００２０】
なお、発光部１４のケース２８の側面３０，３１に突条レール３６，３７を形成し、スイングアーム３８，３９に案内溝３２，３３を形成するようにしても良い。案内溝３２，３３及び突条レール３６，３７は、発光部１４が収納位置にあるときには、撮影光軸１２（図１参照）と略平行になるように配置される。
【００２１】
次に、上記構成によるストロボ装置１５の作用について説明する。図７に示されるように、操作部材６２が押圧され係止爪５９と係止部５８の係合が解除されると、ポップアップバネ５５の付勢力によって駆動レバー２５が図中、反時計方向に回転し、発光部ユニット１６が上方に持ち上げられる。この時、発光部ユニット１６に形成された案内溝３２，３３がスイングアーム３８，３９に形成された突条レール３６，３７と直進移動自在に係合しているため、スイングアーム３８，３９は第１軸２２を中心に仰角方向（図中、時計方向）に回転する。ここで、駆動レバー２５，２６は発光部１４の後端部に設けられた回転軸４２，４３を持ち上げながら発光部ユニット１６をカメラ前方に押し出す。
【００２２】
図１０に示されるように、発光部１４は、駆動レバー２５，２６によって、発光部１４がスイングカバー２０に固定された場合のポップアップ位置（符号７１で示す位置）よりカメラ前方に位置することになり、発光部１４のストロボ照射範囲７３−７３は、符号７１で示すポップアップ位置によるストロボ照射範囲７５−７５より上方になって、大口径交換レンズ１１によるストロボ光のケラレが発生しなくなる。
【００２３】
なお、駆動レバー２５，２６の両方にポップアップバネ５５を設けるようにしても良く、同じバネを用いれば付勢力が２倍になるし、付勢力が同じで良ければ細いバネを用いることができる。また、ポップアップバネ５５をスイングアーム３８，３９に係合させ、ポップアップバネ５５による付勢力をスイングアーム３８，３９に与えるようにしても良い。
【符号の説明】
【００２４】
１０  レンズ交換式カメラ
１１  大口径交換レンズ
１３  カメラ本体
１４  発光部
１５  ストロボ装置
１６  発光部ユニット
１７  レンズマウント
１８  レリーズボタン
１９  モード選択ダイヤル
２０  スイングカバー
２１  （スイングアーム３８，３９の）後端部
２２  第１軸
２３  支持板
２５，２６  一対の駆動レバー
２７  ホットシュー
２８  （発光部１４の）ケース
３０，３１  （ケース２８の）左右の側面
３２，３３  一対の案内溝
３４，３５  左右の側壁
３６，３７  一対の突条レール
３８，３９  一対のスイングアーム
４０  ブリッジ部
４２，４３  回転軸
４４，４５  第２軸
４６  中空部
４７  支持台
４８，４９  支持孔
５０  係止部材
５１  溝
５２，５３  軸穴
５４  バネ掛け部
５５  ポップアップバネ
５６  第１バネ掛け軸
５８  係止部
５９  係止爪
６０  係止バネ
６２  操作部材
６４  第２バネ掛け軸
６５  リード線
【図１】
2012133141.tif 000003
【図２】
2012133141.tif 000004
【図３】
2012133141.tif 000005
【図４】
2012133141.tif 000006
【図５】
2012133141.tif 000007
【図６】
2012133141.tif 000008
【図７】
2012133141.tif 000009
【図８】
2012133141.tif 000010
【図９】
2012133141.tif 000011
【図１０】
2012133141.tif 000012